(57)【要約】【課題】本発明は、ブラックシリカを含有する遠赤外線放射シートをひざ掛けに装着し、従来にない暖かさと保温性のあるひざ掛けを得ることを目的とする。【解決手段】  繊維布帛からなるひざ掛けにおいて、少なくとも一箇所にポケットを設け、該ポケット内に金属シートとブラックシリカを含有する遠赤外線放射シートと発熱層を積層した発熱体を挿入することによって、従来にない暖かさと保温性のあるひざ掛けを得えられることを見出し本発明に到達した。【選択図】        図１
2010059576.tif 000002
【特許請求の範囲】
【請求項１】
繊維布帛からなるひざ掛けにおいて、少なくとも一箇所にポケットを設け、該ポケット内に金属シートとブラックシリカを含有する遠赤外線放射シートと発熱層を積層した発熱体が挿入されたことを特徴とするひざ掛け。
【請求項２】
前記ブラックシリカを含有する遠赤外線放射シートが、基布層の上面側に、樹脂及びブラックシリカを含有してなる遠赤外線放射層が積層一体化されると共に、前記基布層の下面側に、樹脂を含有してなる裏面層が積層一体化された遠赤外線放射シートであることを特徴とする請求項１に記載のひざ掛け。
【請求項３】
前記基布層が、ポリエステル製織布からなり、前記遠赤外線放射層を構成する樹脂としてエチレン酢酸ビニル共重合体樹脂が用いられ、前記裏面層を構成する樹脂としてエチレン酢酸ビニル共重合体樹脂が用いられている請求項２に記載のひざ掛け。
【請求項４】
前記遠赤外線放射層におけるブラックシリカの含有率が４〜３０質量％であることを特徴とする請求項２または３に記載のひざ掛け。
【請求項５】
前記発熱体は、ＵＳＢ電源に接続可能なＵＳＢプラグを備えていることを特徴とする請求項１に記載のひざ掛け。 
【発明の詳細な説明】
【技術分野】
【０００１】
本発明は、金属シートと遠赤外線放射シートと発熱層とを積層した発熱体が挿入されたひざ掛けに関するものである。
【背景技術】
【０００２】
遠赤外線を放射するシートをひざ掛けに取り付け、人体の熱により暖められて遠赤外線を放射させるひざ掛けや、防寒着などはよく知られている。
【０００３】
特許文献１のひざ掛けにおいては、特に脚部を覆う部分に、遠赤外線放射シートに熱反射材を付加して、脚部の保温に効果を発揮するひざ掛けを開示している。しかしながら遠赤外線を放射するシートが人体の熱により暖められて遠赤外線を放射するまでには、かなりの時間を要し、またその効果を直ぐに実感できるものではなかった。
【０００４】
また、出願人は、特許文献２において、ブラックシリカを用いた遠赤外線放射シートを提案しており、本発明は、その遠赤外線放射シートを使って、短時間で体の内部から暖かくなり、保温性に優れたひざ掛けとしたものである。
【０００５】
【特許文献１】実用新案登録第３０５９６４３号
【特許文献２】特願２００７−１７４１９４
【発明の開示】
【発明が解決しようとする課題】
【０００６】
本発明は、ブラックシリカを含有する遠赤外線放射シートをひざ掛けに装着し、従来にない暖かさと保温性のあるひざ掛けを得ることを目的とする。
【課題を解決するための手段】
【０００７】
前記目的を達成するために、本発明は以下の手段を提供する。
【０００８】
［１］繊維布帛からなるひざ掛けにおいて、少なくとも一箇所にポケットを設け、該ポケット内に金属シートとブラックシリカを含有する遠赤外線放射シートと発熱層を積層した発熱体が挿入されたことを特徴とするひざ掛け。
【０００９】
［２］前記ブラックシリカを含有する遠赤外線放射シートが、基布層の上面側に、樹脂及びブラックシリカを含有してなる遠赤外線放射層が積層一体化されると共に、前記基布層の下面側に、樹脂を含有してなる裏面層が積層一体化された遠赤外線放射シートであることを特徴とする前項１に記載のひざ掛け。
【００１０】
［３］前記基布層が、ポリエステル製織布からなり、前記遠赤外線放射層を構成する樹脂としてエチレン酢酸ビニル共重合体樹脂が用いられ、前記裏面層を構成する樹脂としてエチレン酢酸ビニル共重合体樹脂が用いられている前項２に記載のひざ掛け。
【００１１】
［４］前記遠赤外線放射層におけるブラックシリカの含有率が４〜３０質量％であることを特徴とする前項２または３に記載のひざ掛け。
【００１２】
［５］前記発熱体は、ＵＳＢ電源に接続可能なＵＳＢプラグを備えていることを特徴とする前項１に記載のひざ掛け。 
【発明の効果】
【００１３】
［１］の発明では、繊維布帛からなるひざ掛けにおいて、少なくとも一箇所にポケットを設け、該ポケット内に金属シートとブラックシリカを含有する遠赤外線放射シートと発熱層を積層した発熱体が挿入されるので、遠赤外線放射シートが発熱層によって暖められて遠赤外線を放射し、金属シート側に放射した遠赤外線は、金属シートに反射して反金属シート側にだけ遠赤外線が放射され、効率的に人体を暖めることができる。また、ブラックシリカを含有する遠赤外線放射シートであるので、遠赤外線が十分放射され、加温状態（例えば４０度程度）では、より多くの遠赤外線を放射するので、本発明のひざ掛けにおいては、遠赤外線が多量に放出されるものとすることができる。また、ひざ掛けと発熱体は、発熱体をポケットから取り出すことで簡単に分離でき、ひざ掛けが汚れても直ぐに洗濯することができる。
【００１４】
［２］の発明では、ブラックシリカを含有する遠赤外線放射シートが、基布層の上面側に、樹脂及びブラックシリカを含有してなる遠赤外線放射層が積層一体化されると共に、前記基布層の下面側に、樹脂を含有してなる裏面層が積層一体化された遠赤外線放射シートであるので、遠赤外線放射シートの強度が確保され、層間剥離が生じ難く、耐久性も向上した遠赤外線放射シートとすることができる。
【００１５】
［３］の発明では、前記基布層が、ポリエステル製織布からなるので、遠赤外線放射シートの強度がさらに向上し、前記遠赤外線放射層を構成する樹脂としてエチレン酢酸ビニル共重合体樹脂が用いられ、前記裏面層を構成する樹脂としてエチレン酢酸ビニル共重合体樹脂が用いられているので、遠赤外線放射シートは柔軟性に富んだものとなり、ひざ等の使用される場所に合わせて曲がりやすく、人体の形状に馴染みやすく、巻きつきやすいひざかけとすることができる。
【００１６】
［４］の発明では、前記遠赤外線放射層におけるブラックシリカの含有率が４〜３０質量％であるので、遠赤外線が十分に放射されると共に遠赤外線放射層の強度を十分に確保することができる。  
【００１７】
［５］の発明では、前記発熱体は、ＵＳＢ電源に接続可能なＵＳＢプラグを備えているので、パーソナルコンピューターから簡単に電源をとることができ、パーソナルコンピューター等を使った事務作業でひざかけが必要なときに、直ぐに使用することができる。
【発明を実施するための最良の形態】
【００１８】
本発明では、図１、２に示すように、繊維布帛２からなるひざ掛け１に、ポケット３を設け、該ポケット内に発熱体４を挿入し、ＵＳＢプラグ５から電源をとって発熱層６を加温し、遠赤外線放射シート７から遠赤外線を放射させるひざ掛け１である。また、図２に示すように、発熱体４は、基布層９の上面側に、樹脂及びブラックシリカを含有してなる遠赤外線放射層１０が積層一体化されると共に、前記基布層９の下面側に、樹脂を含有してなる裏面層１１が積層一体化された遠赤外線放射シート７と、発熱層６と金属シート８とを積層一体化している。
【００１９】
本発明において、ひざ掛けの生地は、繊維布帛が好ましい。繊維布帛は、人体にやさしく接し、保温性やタッチ感が良好である。繊維の種類に付いては、特に限定されず、布帛の種類についても、織、編、刺し布等特に限定されない。
【００２０】
次にひざ掛けに設けるポケットは、発熱体が挿入でき使用時に落下しないものであればよい。例えば、図１にあるように、発熱体の大きさに少し余裕を持たせた大きさで、ひざ掛けに縫い付けたものでよい。本発明では発熱体４と繊維布帛２は分離できるので、ひざ掛けが汚れたりした場合には、簡単に発熱体４を取り外して洗濯することができる。
【００２１】
金属シート８としては、例えばアルミニウム蒸着した樹脂シート等を挙げられ、ブラックシリカから放射した遠赤外線を反射して、人体の方向に仕向けるものである。金属シート８を積層した発熱体４を、ひざ掛けに設けられたポケットに挿入する時は、遠赤外線放射シート７を内側（人体側）に、金属シート８を外側にして、遠赤外線を全て人体の方向に仕向けるように挿入すればよい。
【００２２】
遠赤外線放射シート７は、ブラックシリカを含有する。ブラックシリカ（黒鉛珪石）は遠赤外線を放射する鉱物で、加温状態（例えば４０度程度）では、より多くの遠赤外線を放射するので、本発明に好適な遠赤外線を放射する鉱物である。北海道の上ノ国で産出されるブラックシリカは有名であるが、特にこの産地に限定されるものではない。
【００２３】
前記ブラックシリカの粒子径は、２〜２０μｍであるのが好ましい。２μｍ以上であることで製造時の作業性を向上でき、２０μｍ以下であることで遠赤外線放射層１０の強度をより向上させることができる。中でも、ブラックシリカの粒子径は、５〜１０μｍであるのが特に好ましい。
【００２４】
発熱層６は、例えば図３のように、ニードルパンチフェルトからなる断熱材１３の上に発熱線１４を配線し、その上に熱接着シート１５と表面材１６を重ね、熱プレスによって熱接着シートを溶融圧着して断熱材１３と表面材１６で発熱線１４を固定し、図１に示すコントローラー１７に発熱線１４を接続し、発熱温度を制御するものを挙げることができる。
【００２５】
発熱体４は、例えば図２のように、金属シート８に前記発熱層６を重ね、さらにその上に前記遠赤外線放射シート７を積層し、接着剤で固定して指定形状に裁断して発熱体４を得る。また、発熱体４がＵＳＢ電源に接続可能なＵＳＢプラグを備えていれば、事務作業をするときに、パーソナルコンピューターから簡単に電源をとることができ好ましい。
【００２６】
また、遠赤外線放射シート７の一実施形態を図２に示すように、遠赤外線放射シート７は、遠赤外線放射層１０と、基布層９と、裏面層１１とで形成される。基布層９の上面に樹脂及びブラックシリカを含有してなる遠赤外線放射層１０が積層一体化されると共に、前記基布層９の下面に、樹脂を含有してなる裏面層１１が積層一体化されている。
【００２７】
遠赤外線放射層１０は、ブラックシリカを含有する樹脂層からなる。前記遠赤外線放射層１０におけるブラックシリカの含有率は４〜３０質量％であるのが好ましい。４質量％を下回ると遠赤外線が十分に放出されないし、３０質量％を超えても遠赤外線放射層１０の強度が低下し好ましくない。中でも、ブラックシリカの含有率は１０〜２５質量％であるのが好ましい。また、遠赤外線放射層１０を構成する樹脂としては、特に限定されるものできないが、例えば、エチレン−酢酸ビニル共重合体樹脂、ポリプロピレン、ポリエステル、塩化ビニル樹脂、熱可塑性エラストマー樹脂、ゴム等が挙げられる。中でも、エチレン−酢酸ビニル共重合体樹脂を用いるのが好ましく、この場合には、遠赤外線放射シート７は柔軟性に富んだものになる。
【００２８】
前記基布層９は、前記遠赤外線放射層１０単独では強度が不足することから、遠赤外線放射シート７としての十分な強度を確保するために必要なものである。前記基布層９としては、特に限定されるものではないが、例えば織物、編物、不織布等を挙げられる。また、基布層９の素材としても、特に限定されるものではないが、例えばポリエステル、ポリアミド、ポリオレフィン等の合成繊維、木綿、麻等の天然繊維、ガラス繊維、カーボン繊維、金属繊維等の無機繊維などが挙げられる。中でも、ポリエステル製の織布が好ましく、この場合には遠赤外線放射シート７の強度をさらに向上することができる。
【００２９】
前記裏面層１１は、樹脂を含有してなる層であり、このような裏面樹脂層を基布層９の下面に積層することで、裏面層１１の樹脂が前記基布層９内に侵入することで、遠赤外線放射シート７としての耐久性をより向上させることができる。前記裏面層１１を構成する樹脂としては、特に限定されるものではないが、遠赤外線放射層１０を構成する樹脂と同様で、例えば、エチレン−酢酸ビニル共重合体樹脂、ポリプロピレン、ポリエステル、塩化ビニル樹脂、熱可塑性エラストマー樹脂、ゴム等が挙げられる。中でも、遠赤外線放射層１０と裏面層１１ともにエチレン−酢酸ビニル共重合体樹脂を用いるのが好ましく、この場合には、遠赤外線放射シート７は柔軟性に富んだものになる。
【実施例】
【００３０】
次に、この発明の実施例を説明するが、本発明の範囲はこれらの実施例に限定されるものではない。
【００３１】
＜実施例１＞
ひざ掛け１の生地として、起毛織物を用意し、図１のように９０ｃｍ×６０ｃｍの大きさに裁断し、ほつれ止めをしてからポケット３（６０ｃｍ×４０ｃｍ）を縫い付けた。また、別の工程で、以下のように遠赤外線放射シートを作成した。エチレン−酢酸ビニル共重合体樹脂８０質量部および粒径５〜１０μｍのブラックシリカ２０質量部からなる樹脂組成物をカレンダー成形によって厚さ０．２５ｍｍにシート化して遠赤外線放射層１０を形成せしめ、該シートが予熱を有している間に該シートに厚さ０．３０ｍｍのポリエステル製織布（平織り、繊維太さ８３０ｄｔｅｘ）からなる基布層９を重ね合わせ一対の圧着ロール間で圧着した後、さらに該基布層９の非積層面にエチレン−酢酸ビニル共重合体樹脂からなる厚さ０．３２ｍｍの裏面層１１を重ね、一対の圧着ロール間で圧着することによって厚０．７５ｍｍの遠赤外線放射シート７を得た。次に別の工程で図３に示す発熱層６（大きさ５８ｃｍ×３８ｃｍでＵＳＢプラグとコントローラー付き）を作成し、アルミニウム蒸着層を積層した厚さ２ｍｍのポリエチレン発泡樹脂シートからなる金属シート８と前記遠赤外線放射シート７を図２に示すように積層し、アクリル系接着剤で固定し、周囲にほつれ止め加工を施して発熱体４を作成した。
【００３２】
このようにして作成したひざ掛け１のポケット３に発熱体４を挿入し、ひざに巻き、パーソナルコンピューターのＵＳＢ端子から電源（５Ｖ  ０．５Ａ）をとったところ、暖かさが直ぐに感じられ、従来にない心地よいひざ掛けを得ることができた。
【００３３】
＜実施例２＞
実施例１において、エチレン−酢酸ビニル共重合体樹脂９０質量部および粒径５〜１０μｍのブラックシリカ１０質量部からなる樹脂組成物をカレンダー成形によって厚さ０．２５ｍｍにシート化して遠赤外線放射層１０を形成せしめた以外は、実施例１と同様にしてひざ掛けとした。実施例１と比較してややポカポカとした暖かさが少ないように感じるものの、実施例１同様従来にない心地よいひざ掛けを得ることができた。
【００３４】
＜比較例１＞
実施例１の、発熱体４の作成において、金属シート８を積層しなかった以外は、実施例１と同様にしてひざ掛けとした。  暖かさが直ぐに感じられたものの、実施例１のような従来にない心地よさは感じられなかった。
【００３５】
＜比較例２＞
実施例１の、発熱体４の作成において、発熱層６を積層しなかった以外は、実施例１と同様にしてひざ掛けとした。  
暖かさが直ぐに感じられず、暖かく感じるまでに時間を要し、実施例１のような従来にない心地よさには到らなかった。
【００３６】
＜比較例３＞
実施例１の、発熱体４の作成において、遠赤外線放射シート７を積層しなかった以外は、実施例１と同様にしてひざ掛けとした。  暖かさが直ぐに感じられたものの、実施例１のような従来にない心地よさは感じられなかった。
【図面の簡単な説明】
【００３７】
【図１】この発明に係るひざ掛けの概略図である。
【図２】この発明の係る発熱体の概略図である。
【図３】この発明の係る発熱層の概略図である。
【符号の説明】
【００３８】
１・・・ひざ掛け
２・・・繊維布帛
３・・・ポケット
４・・・発熱体
５・・・ＵＳＢプラグ
６・・・発熱層
７・・・赤外線放射シート
８・・・金属シー
９・・・基布層
１０・・・遠赤外線放射層
１１・・・裏面層
１３・・・断熱材
１４・・・発熱線
１５・・・熱接着シート
１６・・・表面材
１７・・・コントローラー
【図１】
2010059576.tif 000003
【図２】
2010059576.tif 000004
【図３】
2010059576.tif 000005